(57)【特許請求の範囲】
【請求項１】
本体の前面に設けられた複数のフィンガに可撓性のチューブを位置決めすることにより該チューブをフィンガの前面に添設すると共に、本体の前面を閉塞するドアの側部に取り付けられたヒンジを介して回動するドアを閉じることによってチューブを狭圧保持する輸液ポンプにおいて、
ドアに取り付けたヒンジを回動自在に支承する弾性部材が本体の前後方向へ弾性的に移動するように構成され、該弾性部材は弾性板バネであって、該弾性板バネは本体の前面において複数箇所に設けられたネジで係止されると共に、夫々のネジに遊びを設け、この遊びの範囲内で本体の前後方向に弾性的に移動可能とし、該ドアを本体の前面に対して略平行に対面させた状態で閉じるようにしたことを特徴とする輸液ポンプ。
【請求項２】
ドアを本体の前面に対して略平行に対面させた状態で閉じる際に、ドアの外側に設けたドアレバーを回動することによってドアの内側に突設したフックを回動し、夫々のフックを本体側のフィンガの左右に設けられたフック受けに引掛けることにより、該ドアを本体の前面側に引き寄せながら閉じるようにしたことを特徴とする請求項１記載の輸液ポンプ。
【発明の詳細な説明】
【技術分野】
【０００１】
本発明は、ヒンジで回動式に開閉するドアを閉じることによって本体側に設けられた蠕動式フィンガに輸液チューブを押圧状態で保持するようにした輸液ポンプに関する。
【背景技術】
【０００２】
従来から知られている蠕動式輸液ポンプは、その本体側に複数のフィンガが設けられ、このフィンガとドアとの間に輸液チューブを挟み込んでドアを閉じ、各フィンガに蠕動運動をさせることによって、フィンガによる圧迫位置を送液方向に移動することにより、チューブ内の輸液を移送するように構成されている。このような装置においては、輸液チューブを複数のフィンガの中央に添って位置決めするチューブガイドが設けられ、このチューブガイドの上下位置にチューブを挟み込む位置決め溝が形成されている。
【０００３】
ところで、輸液ポンプのドアを本体に設けたヒンジを介して回動式に開閉する構造とした場合、このドアが閉じられるときは、ドアの内側が輸液チューブに対して斜めに接触するため、輸液チューブが上下の位置決め溝間で横方向に引張られることにより、弧状に歪み、輸液チューブがチューブガイドの内側に押圧されることによって内径が狭められる結果、送液量にバラツキが生じ、安定した送液を行なうことが困難になるおそれがあった。
【０００４】
また、フィンガの近傍に輸液チューブ内の気泡を検出するための気泡センサや、チューブの閉塞状態を検出する内圧センサが設けられている場合、これらのセンサに当接したチューブに対して相対的なずれが生じると、正確な検出を行うことができなくなるという不都合が生じる。
【０００５】
この種の問題を解決する装置として、特許文献１に記載されている輸液ポンプは、輸液チューブを本体の定位置に保持した状態でドアを閉じるとき、輸液チューブが正しく定位置にセットされていない場合に、ドアの閉動作を防止する機能を備えたものであり、このために、ストッパー部材と、このストッパー部材を移動させるための形状部という部材を備えた構成としている。
【０００６】
ところが、このような特許文献１の構成は、輸液チューブが正しく定位置にセットされていない場合に、ドアの閉動作を防止するように構成したものであり、また、バックプレートベースとストッパー部材とから構成されるバックプレート機構を必要とするため、構造が複雑になるという問題があった。
【特許文献１】特開２００２−５８７３８号公報
【発明の開示】
【発明が解決しようとする課題】
【０００７】
本発明は、上記の事情に鑑みてなされたもので、輸液ポンプの本体の前面に設けられた複数のフィンガの上下位置で位置決めしたチューブをフィンガに添設した状態でドアを閉じた際、チューブが歪むことなく、ドアの内側で均等に狭圧保持されることにより、安定した送液を行なうと共に、気泡検知、チューブ内圧検知等を正確に行なうようにした輸液ポンプを提供することを目的とする。
【課題を解決するための手段】
【０００８】
上記の目的を達成するために、本発明における請求項１の輸液ポンプは、本体の前面に設けられた複数のフィンガに可撓性のチューブを位置決めすることにより該チューブをフィンガの前面に添設すると共に、本体の前面を閉塞するドアの側部に取り付けられたヒンジを介して回動するドアを閉じることによってチューブを狭圧保持する輸液ポンプにおいて、ドアに取り付けたヒンジを回動自在に支承する弾性部材が本体の前後方向へ弾性的に移動するように構成され、該弾性部材は弾性板バネであって、該弾性板バネは本体の前面において複数箇所に設けられたネジで係止されると共に、夫々のネジに遊びを設け、この遊びの範囲内で本体の前後方向に弾性的に移動可能とし、該ドアを本体の前面に対して略平行に対面させた状態で閉じるようにしたことを特徴とする。
【０００９】
また、本発明の請求項２の輸液ポンプは、請求項１において、ドアを本体の前面に対して略平行に対面させた状態で閉じる際に、ドアの外側に設けたドアレバーを回動することによってドアの内側に突設したフックを回動し、夫々のフックを本体側のフィンガの左右に設けられたフック受けに引掛けることにより、該ドアを本体の前面側に引き寄せながら閉じるようにしたことを特徴とする。
【発明の効果】
【００１２】
以上のように構成した本発明の輸液ポンプにおいて、本体の前面を閉塞するドアに取り付けられたヒンジを回動自在に支承する弾性部材が、本体の前後方向へ弾性的に移動するように、本体の前面に取り付けられているため、ドアを閉じる際、ドアの内側面が本体の前面から突出したチューブに当って抵抗を受けると、弾性部材が浮動してヒンジ位置を前方に移動させるため、ドアは本体の前面に対して略平行に対面した状態となる。
【００１３】
この状態で、本体の前面側のドアレバーを回動することによってドアの内側に突設された左右のフックを本体側の左右のフック受けに引掛け、さらにドアレバーを回動することによって左右のフックが左右のフック受けを引き寄せながら係合すると、ドアが、上記のように本体の前面に対して略平行を保った状態で本体の前面側に引き寄せられる結果、チューブを前方から略垂直方向に圧迫することができ、チューブを歪みのない状態で狭圧することが可能となる。
【００１４】
従って、このように歪みのない状態でフィンガの前面に保持されたチューブは、チューブ内の送液を円滑に行なうことによって安定した送液を可能とし、本体に設けられた気泡センサや内圧センサに対して設計通りの検出環境を提供することとなるため、正確な気泡検出やチューブ内圧検出を行なうことが可能となる。
【発明を実施するための最良の形態】
【００１５】
以下、本発明の実施例について図面を参照しながら説明する。
【実施例１】
【００１６】
本発明による輸液ポンプ１は、図１（ａ）又は（ｂ）に示すように、本体２の前面に、操作パネルＰを備えたドア３が設けられた構成とされている。このドア３は、図２に示すように、ドア３の側部の上下位置に取り付けられたヒンジ４ａ、４ｂを介して回動するものであり、本体２の前面側部には、ドア３に取り付けられたヒンジ４ａ、４ｂを回動自在に支承する弾性板バネ５が取り付けられている。
【００１７】
このようなドア３の開閉構造について述べると、本実施例においては、図２又は図３に示すように、本体２の前面片側に縦方向に長いコ字形の収納溝６が形成され、この収納溝６内に、該収納溝６の形状と同様に縦方向に長いコ字形の金属板等による弾性板バネ５が取り付けられている。
【００１８】
この板バネ５は、図３に示すように、収納溝６の上下の略中央箇所に前方側に浅い溝深さで固定用溝部６ａが形成され、この固定用溝部６ａに板バネ５の中央付近の離間箇所を止めネジ８、８で固定すると共に、板バネ５の上下端付近に設けられたネジ穴７ａ、７ｂに止めネジ８ａ、８ｂを遊挿し、この止めネジ８ａ、８ｂの遊びの範囲内で板バネ５の上下部を本体２の前後方向に弾性的に移動可能としている。
【００１９】
さらに、上記の板バネ５は、図２に示すように、板バネ５の上下部において図示の左方に屈曲された上下の端部から前方水平に支承板９ａ、９ｂが形成され、この上下の支承板９ａ、９ｂの各軸穴１０ａ、１０ｂに挿通したピン１１ａ、１１ｂを介して、各ピン１１ａ、１１ｂをドア３の片側内面の上下位置に固定ネジ１２ａ、１２ｂで固定した上下のピン受け１３ａ、１３ｂで支承することによって、ドア３を水平方向に開閉するヒンジ４ａ、４ｂが構成されている。
【００２０】
このような構成によって、ドア３は上下のヒンジ４ａ、４ｂを介して板バネ５の上下に回動自在に設けられ、板バネ５が本体２の前方に移動すれば、上下のヒンジ４ａ、４ｂの位置も前方に移動するものとなる。
【００２１】
また、図２に示すように、本体２の前面の略中央には複数のフィンガＦ、Ｆ…が上下方向に配列された状態で設けられている。これらのフィンガＦ、Ｆ…は不図示のカム機構によって不図示のモータと連結され、該モータの駆動によって複数のフィンガＦ、Ｆ…が蠕動運動を行なうように構成されている。
【００２２】
さらに、複数のフィンガＦ、Ｆ…の周囲にはチューブガイド１４が本体２の前面に突出状態で形成され、チューブガイド１４の上下位置に形成された位置決め溝１４ａ、１４ｂにチューブＴを押込むことによって、該チューブＴをチューブガイド１４の上下位置で位置決めすることができる。なお、ドア３を閉じたとき、フィンガＦ、Ｆ…の前面に添設されたチューブＴを押圧するチューブ受け１５がドア３の内側に突設されている。
【００２３】
また、ドア３の外側に設けたドアレバー１８はドア３の左右に突出するフック１６ａ、１６ｂに連動して回動する構成とされている。なお、図３のフック１６ａは途中で破断した状態に図示している。この左右の各フック１６ａ、１６ｂはドア３の内部に設けられた回動軸（不図示）に支承されると共に、各フック１６ａ、１６ｂの外周面１７ａ、１７ｂは円弧形に形成され（図３参照）、ドアレバー１８の引上げ動作及び押下げ動作に従動して、左右の各フック１６ａ、１６ｂは不図示の回動軸を中心に円弧状の軌跡を描いて上方へ回動する。
【００２４】
このような構成により、ドアレバー１８を上方に引上げたときは（図２の状態）、左右のフック１６ａ、１６ｂはドア３の内部方向に回動して収納されるが、ドアレバー１８を押下げたときは（図１（ａ）の状態）、左右のフック１６ａ、１６ｂをドア３の内側から円弧状に上方へ回動しながら突出させることとなる。
【００２５】
一方、上記のドア３に設けられた左右のフック１６ａ、１６ｂに対応して、本体２の前面のフィンガＦ、Ｆ…の左右にフック受け１９ａ、１９ｂが設けられている。このフック受け１９ａ、１９ｂは、ドア３の左右のフック１６ａ、１６ｂに係合される位置に設けられ、左右のフック１６ａ、１６ｂに下方から係合される軸部１９（図３参照）を備えるものである。また、本体２側の左右のフック受け１９ａ、１９ｂの下部近傍には、ドア３の左右のフック１６ａ、１６ｂが回動したとき、各フック１６ａ、１６ｂの円弧形の外周面１７ａ、１７ｂが当接するフックガイド２０ａ、２０ｂが設けられ、これらのフックガイド２０ａ、２０ｂに設けられた勾配面によってフック１６ａ、１６ｂの回動動作を案内することが可能とされている。
【００２６】
上記の構成によって、ドア３を閉じる際、ドア３の内側面が本体２の前面から突出したチューブＴに当って抵抗を受けることにより、板バネ５が前方へ移動することによって、ヒンジ４ａ、４ｂもまた前方へ移動するため、ドア３を本体２の前面に対して略平行に対面した状態とすることができる。
【００２７】
この状態で、本体２の前面側のドアレバー１８を回動することによってドア３の内側に突設された左右のフック１６ａ、１６ｂを本体２側の左右のフック受け１９ａ、１９ｂに下方から引掛け、さらにドアレバー１８を回動することによって、左右のフック１６ａ、１６ｂはフックガイド２０ａ、２０ｂの勾配面で案内されつつ、左右のフック受け１９ａ、１９ｂを引き寄せながら係合する。これによって、ドア３が、上記のように本体２の前面に対して略平行を保った状態で本体２の前面側に引き寄せられると、チューブＴを前方から略垂直方向に圧迫する結果、チューブＴを歪みのない状態で狭圧することが可能となる。
【００２８】
また、本実施例の輸液ポンプ１には、図２に示すように、本体２の前面において、チューブガイド１２の上側に位置決め溝１４ａが設けられ、チューブＴを位置決め溝１４ａに嵌め込むと共に、チューブＴを本体２の上縁に形成された嵌合溝２２ａに嵌合して本体２の上方に導き出すと、チューブＴは、位置決め溝１４ａと嵌合溝２２ａとの間に設けられた気泡センサ２３の前方の中心に添った定位置に位置決めされる。
【００２９】
また、チューブガイド１２の下側の位置決め溝１４ｂの下方にはチューブＴの閉塞状態を検知し得る内圧センサ２４が設けられ、さらにその下方にはチューブクランプ２５が設けられ、チューブＴを上下の位置決め溝１４ａ、１４ｂに押込んだ状態で、チューブＴをチューブクランプ２５に嵌め込み、さらにチューブＴを本体２の下縁に形成された嵌合溝２２ｂに嵌合すると、チューブＴは内圧センサ２４の前方の中心に添った定位置に位置決めされる。
【００３０】
従って、本実施例においては、上記のように、チューブＴを上下の位置決め溝１４ａ、１４ｂで位置決めして、歪みのない状態でフィンガＦ、Ｆ…の前面に保持することにより、チューブＴ内の送液を円滑に行なうことが可能となり、安定した送液を可能とし、本体２に設けられた気泡センサ２３や内圧センサ２４等に対して設計通りの検出環境を提供することとなるため、正確な気泡検出やチューブＴ内圧検出を行なうことが可能となる。
【産業上の利用可能性】
【００３１】
本発明の輸液ポンプは、輸液ポンプの本体の前面に設けられた複数のフィンガの上下位置で位置決めしたチューブをフィンガに添設した状態でドアを閉めた際、チューブが歪むことなく、ドアの内側で均等に狭圧保持されることにより、安定した送液を行なうと共に、気泡検知、チューブ内圧検知等を正確に行なうようにした輸液ポンプとして利用することが可能である。
【図面の簡単な説明】
【００３２】
【図１】（ａ）は本発明による輸液ポンプの外観を示す正面図、（ｂ）は側面図である。
【図２】本発明による輸液ポンプのドアを開いた状態を示す斜視図である。
【図３】本発明による輸液ポンプのドアに設けられたヒンジと板バネとが形成された部位を示す要部拡大図である。
【符号の説明】
【００３３】
１  輸液ポンプ
２  本体
３  ドア
４ａ、４ｂ  ヒンジ
５  板バネ
６  収納溝
６ａ  固定用溝部
７  ネジ穴
８、８ａ、８ｂ  止めネジ
９ａ、９ｂ  支承板
１０ａ、１０ｂ  軸穴
１１ａ、１１ｂ  ピン
１２ａ、１２ｂ  固定ネジ
１３ａ、１３ｂ  ピン受け
１４  チューブガイド
１４ａ、１４ｂ  位置決め溝
１５  チューブ受け
１６ａ、１６ｂ  フック
１７ａ、１７ｂ  外周面
１８  ドアレバー
１９  軸部
１９ａ、１９ｂ  フック受け
２０ａ、２０ｂ  フックガイド
２２ａ、２２ｂ  嵌合溝
２３  気泡センサ
２４  内圧センサ
２５  チューブクランプ
Ｆ  フィンガ
Ｐ  操作パネル
Ｔ  チューブ
【要約】
【課題】輸液ポンプの本体の前面に設けられた複数のフィンガの上下位置で位置決めしたチューブをフィンガに添設した状態でドアを閉めた際、チューブが歪むことなく、ドアの内側で均等に狭圧保持されることにより、安定した送液を行なうようにすると共に、気泡検知、チューブ内圧検知等を正確に行なうようにした輸液ポンプを提供する。
【解決手段】本体２の前面に設けられた複数のフィンガＦに可撓性のチューブＴを位置決めすることにより該チューブＴをフィンガＦの前面に添設すると共に、本体２の前面を閉塞するドア３の側部に取り付けられたヒンジ４ａ、４ｂを介して回動するドア３を閉じることによってチューブＴを狭圧保持する輸液ポンプ１において、本体２に取り付けられた弾性板バネ５を介してドア３に取り付けたヒンジ４ａ、４ｂを支持することにより、ドア３を本体２の前面に対して略平行に対面させた状態で閉じるようにした。
【選択図】図２【図１】
0004348566.tif 000002
【図２】
0004348566.tif 000003
【図３】
0004348566.tif 000004